(57)【要約】【課題】  ゴルフのプレー時における種々の状況下により、色彩の効果を引き出すことができるカラーゴルフボールを提供する。【解決手段】  所定の径を有し外周面に多数のディンプル２を形成したゴルフボール１において、ゴルフボールの最大直径外周部を挟んで複数個所に、相互に異なる色彩を着色した部位、例えば２ケ所の場合は、赤色を着色した赤色部位３、青色を着色した青色部位４を設けている。【選択図】      図１
2012115503.tif 000002
【特許請求の範囲】
【請求項１】
所定の径を有し外周面に多数のディンプルを形成したゴルフボールにおいて、
前記ゴルフボールの最大直径外周部を挟んで複数個所、相互に異なる色彩を着色した部位を設けたことを特徴とするカラーゴルフボール。
【請求項２】
前記ゴルフボールの最大直径外周部を挟んで２ケ所、一方に赤色を着色した赤色部位とし、他方に青色に着色した青色部位とことを特徴とする請求項１記載のカラーゴルフボール。
【請求項３】
前記ゴルフボールの最大直径外周部を挟んで４ケ所、相互に異なる色彩を着色した部位を設けたことを特徴とする請求項１記載のカラーゴルフボール。
【発明の詳細な説明】
【技術分野】
【０００１】
この発明は、ボール表面に複数の色彩を着色したカラーゴルフボールに関する。
【背景技術】
【０００２】
ゴルフボールに着色される色に関し、白色に着色されているものが主流ではあるが、その他、白以外にも赤色、橙色、黄色などの色彩をボール表面に着色した一色のカラーゴルフボールも販売されている。
【０００３】
女性ゴルファーの増加に伴ってカラーゴルフボールの使用が増加し、近年男性にも使用されるようになってきている。それは伝統的に使用されている白色形ボールに対して、カラーゴルフボールは、色彩の面でファッション性が高く、色彩感から人目をひきやすい利点を持っている。カラーゴルフボールに関しては特許文献１、特許文献２などがある。
【先行技術文献】
【特許文献】
【０００４】
【特許文献１】特開２０００-２５４２５１号公報
【特許文献２】特開２００４-８１３５０号公報
【発明の概要】
【発明が解決しようとする課題】
【０００５】
色彩には、行動に影響を与える作用があることは、古くから知られている。ゴルファーがプレー時にゴルフボールに着色された色により、行動が影響され、例えば赤色系のものは気力を高揚させるので、ティーショット等の長距離を飛ばすのに適している。また、青色系のものは、平静状態に至らせるので、グリーン上におけるパッティング等の緊張をしいられるに適し、芝目、傾斜などの読みを適格に行なうことに適している。
【０００６】
しかしながら、プレー中には、ボールの変更は特別の場合を除いて許されない。ましてや、ティーショット時には赤色系のゴルフボール、パッティング時には青色系のゴルフボールに交換することなど許されてはおらず、プレーに応じた色彩の選択は出来なかった。
【０００７】
そこで、この発明は、ゴルフのプレー時における種々の状況下により、色彩の効果を引き出すことができるカラーゴルフボールを提供することにある。
【課題を解決するための手段】
【０００８】
この発明に係るカラーゴルフボールは、所定の径を有し外周面に多数のディンプルを形成したゴルフボールにおいて、前記ゴルフボールの最大直径外周部を挟んで複数個所、相互に異なる色彩を着色した部位を設けたことにある（請求項１）。したがって、ティーショットなど長距離を飛ばす際には、赤色系の部位をゴルファーの方に向けてティーアップをし、しかる後にショットが行なわれまたパッティングの際には、例えば青色系の部位をゴルファーに向けてから、パットをし、色彩によりゴルファーの目的別の行動を高めてスコアアップに繋げることが出来る。このために、ゴルフボールの最大直径外周部を挟んで色彩を異ならしめている。２ケ所の場合には表面積は２分の１ずつ、４ケ所の場合には表面積は４分の１ずつとなる。
【０００９】
ゴルフボールの最大直径外周部を挟んで２ケ所色彩を付する場合に、一方に赤色を着色した赤色部位とし、他方に青色の着色した部位とすることが好ましい（請求項２）。即ち、赤色は血圧を上昇させ、脈拍を早め、呼吸数を増加させ、筋肉を興奮させる作用を与え、これに対し青色は血圧を降下させ、脈拍を安定させ、呼吸数も平常状態とし、筋肉を弛緩させる。従って、ゴルフの状況に応じて色彩による効果を使い分けすることができる。なお、２色の場合には、最大直径外周部に色境による境線が１本できることになる。この境線を用いて、パッティングスイングの方向を定めることに利用することもできる。
【００１０】
ゴルフボールの最大直径外周部を挟んで４ケ所に相互に異なる色彩を着色した部位を設けたこともできる（請求項４）。その場合には色彩を例えば赤、黄、青、白などが選択されることになる。４色の場合には、最大直径外周部がなす色境による境線が２本でき、しかも両者は直角に交わっている。
【発明の効果】
【００１１】
以上の発明によれば、ゴルフボールの最大直径外周部を挟んで複数ケ所、相互に異なる色彩を着色した部位を設けたことにあるから、ゴルフの種々の状況により使い分けすることができる。即ち、色彩の効果により、長距離を飛ばす場合、パッティングする場合などにゴルファーが選択使用することができ、スコアアップに繋げることができる。また芝の長いラフに入っても、季節によって芝が変色しても、複数色から容易に見付けることができる（請求項１）。
【００１２】
２ケ所の色彩の場合には、一方を赤色に着色した赤色部位とし、他方を青色に着色した青色部位とすることが好ましく、その場合に赤色の気力の高揚効果から長距離を飛ばすティーショットに、青色の持つ精神安定効果からパッティングにそれぞれ選択して使用すればスコアの向上に寄与ができる（請求項２）。
【００１３】
着色は２ケ所ばかりでなく４ケ所など複数でも良いことは勿論で、その４ケ所の場合にはと例えば赤、黄、青、白などに着色した部位とすることができる（請求項４）。
【図面の簡単な説明】
【００１４】
【図１】この考案のゴルフボールで、一方を赤色に、他方を青色に着色した正面図である。
【図２】同上のゴルフボールをパッティングに際し、両者の色境に生じる境線を用いた例の正面図である。
【図３】４ケ所の異なる色彩とした例の正面図である。
【発明を実施するための形態】
【００１５】
以下、この発明の実施例を図面に基づいて説明する。
【実施例１】
【００１６】
図１において、この考案に係るカラーゴルフボール１が図示されている。このカラーゴルフボール１は、白いゴルフボールと同様に多数のディンプル２を有している点は全く同一である。その構造については、特に制限されるものではなく、糸巻コアを持つもの、ソリッドコアを用いた１ピース、２ピース、３ピース等の成ものでも良い。
【００１７】
カラーゴルフボール１は、最大直径４２．７ｍｍの球体であり、その最大直径外周部を挟んで、図の上方に赤色に着色した赤色部位３、下方に青色に着色した青色部位４がそれぞれ設けられている。赤色部位と青色部位との色境による境線ができるが、この境線は最大直径外周部となっていて、赤色部位３と青色部位４とは２分の一の表面積比となっている。なお、ボールへの着色は、色彩を持った点又は線の集合体でも可能である。
【００１８】
このようなカラーゴルフボール１をティーアップするときに、ゴルファー側にカラーゴルフボール１の例えば赤色部位３をゴルファー側へ向けることで、赤色の持つ気分の高揚効果を用いて、飛距離を伸ばすことができる。逆に青色部位４をゴルファー側へ向ければ、青色の持つ精神安定効果を用いて、正確なショットができる。
【００１９】
図２において、カラーゴルフボール１のパッティング時の使用例が示され、色境による境線を用いて、この境線をパッティング方向に合せることができる。これにより、パター５のスイングの方向付けを行なうことができる。なお、青色部位４をゴルファー側へ向けてセットすることで、パッティングに集中させるように使用できることは勿論である。
【００２０】
図３において、カラーゴルフボール１の他の変更例を示している。この例では、４ケ所に相互に異なる色彩を着色した例が示されている。
例えば、赤色に着色された赤色部位６、青色に着色された青色部位７、黄色に着色された黄色部位８、白色に着色された白色部位９に着色している。この例では、２つの最大直径外周部を挟んで４ケ所設けており、色境による境線は直角に交わっている。各色の部位は、４分の１の表面積比となっている。
【符号の説明】
【００２１】
１  カラーゴルフボール
２  ディンプル
３  赤色部位
４  青色部位
５  パター
６  赤色部位
７  青色部位
８  黄色部位
９  白色部位
【図１】
2012115503.tif 000003
【図２】
2012115503.tif 000004
【図３】
2012115503.tif 000005